(57)【特許請求の範囲】
【請求項１】
携帯端末装置において、
当該携帯端末装置が、当該携帯端末装置の正面が下を向く姿勢で置かれたことを検出する検出部と、
動作モードを、着信音を鳴らす第１モードと着信音を鳴らさない第２モードとの間で切り替える切替部と、を備え、
前記切替部は、前記検出部により当該携帯端末装置が前記姿勢で置かれたことが検出されると、動作モードを、前記第１モードから前記第２モードへ切り替え、
電話または電子メールの着信があったときに、前記動作モードが前記第１モードに設定されていると、前記着信の当初から着信音を鳴らし、前記動作モードが前記第２モードに設定されていると、前記着信の当初から着信音を鳴らさない、
ことを特徴とする携帯端末装置。
【請求項２】
請求項１に記載の携帯端末装置において、
当該携帯端末装置の正面には表示面が配置され、
電話または電子メールの着信があったときに、前記動作モードが前記第２モードに設定されていると、前記表示面の照明を点灯する、
ことを特徴とする携帯端末装置。
【請求項３】
請求項１に記載の携帯端末装置において、
前記検出部は、当該携帯端末装置の向きを検出するための方向検出部と、前記方向検出部の出力に基づいて、前記正面が下を向く状態が一定時間維持されたか否かを判断する判断部と、を含み、
前記判断部により前記正面が下を向く状態が一定時間維持されたと判断されると、当該携帯端末装置が前記姿勢で置かれたことが検出される、
ことを特徴とする携帯端末装置。
【請求項４】
請求項１に記載の携帯端末装置において、
前記検出部は、当該携帯端末装置の向きを検出するための方向検出部と、前記正面に照射される光の照度を検出する照度検出部と、前記方向検出部の出力に基づいて、前記正面が下を向いているか否かを判断するとともに、前記照度検出部により検出された照度が予め定めた閾値以下であるか否かを判断する判断部と、を含み、
前記判断部により前記正面が下を向き、且つ、前記照度が前記閾値以下であると判断されると、当該携帯端末装置が前記姿勢で置かれたことが検出される、
ことを特徴とする携帯端末装置。
【請求項５】
請求項４に記載の携帯端末装置において、
前記検出部は、前記正面への被検出物の近接を検出する近接検出部をさらに備え、
前記判断部により、前記正面が下を向き、且つ、前記照度が前記閾値以下であると判断され、さらに、前記近接検出部により前記正面へ前記被検出物が近接したことが検出されると、当該携帯端末装置が前記姿勢で置かれたことが検出される、
ことを特徴とする携帯端末装置。
【請求項６】
請求項１に記載の携帯端末装置において、
前記検出部は、当該携帯端末装置の向きを検出するための方向検出部と、前記方向検出部からの出力に基づいて前記正面が下を向いているか否かを判断する判断部と、前記正面への被検出物の近接を検出する近接検出部と、を含み、
前記判断部により、前記正面が下を向いていると判断され、且つ、前記近接検出部により前記正面へ前記被検出物が近接したことが検出されると、当該携帯端末装置が前記姿勢で置かれたことが検出される、
ことを特徴とする携帯端末装置。
【請求項７】
請求項３ないし６の何れか一項に記載の携帯端末装置において、
前記方向検出部は、前記正面の法線方向に働く重力加速度を検出する加速度検出部を含み、
前記判断部は、前記重力加速度に基づいて、前記正面が下を向いているか否かを判断する、
ことを特徴とする携帯端末装置。
【請求項８】
請求項３ないし６の何れか一項に記載の携帯端末装置において、
前記方向検出部は、前記正面に照射される光の照度を検出する第１の照度検出部と、当該携帯端末装置の背面に照射される光の照度を検出する第２の照度検出部とを含み、
前記判断部は、前記第１の照度検出部により検出された照度と前記第２の照度検出部により検出された照度に基づいて、前記正面が下を向いているか否かを判断する、
ことを特徴とする携帯端末装置。
【請求項９】
請求項１に記載の携帯端末装置において、
前記検出部は、前記正面への被検出物の近接を検出する近接検出部と、前記正面に照射される光の照度を検出する照度検出部と、前記照度が予め定めた閾値以下であるか否かを判断する判断部と、を含み、
前記近接検出部により前記正面へ前記被検出物が近接したことが検出され、且つ、前記判断部により前記照度が前記閾値以下であると判断されると、当該携帯端末装置が前記姿勢で置かれたことが検出される、
ことを特徴とする携帯端末装置。
【請求項１０】
請求項１ないし９の何れか一項に記載の携帯端末装置において、
前記第２モードは、無線通信のための電波の送受信を停止する動作を含み、
前記切替部は、無線通信が使用されている途中で、当該携帯端末装置が前記姿勢で置かれたことが検出されても、電波が切断されないように、前記動作モードを前記第２モードに切り替えない、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、携帯電話機では、ユーザの就寝時に、電話や電子メールの着信音がならないよう、着信モード（動作モード）が切り替えられるようになっている。かかる携帯電話機において、着信モードの切り替えを自動的に行えるような構成とすることができる。たとえば、携帯電話機の周囲の明るさを検出するとともに、携帯電話機が閉じられた状態で充電器に接続された否かを検出し、周囲が暗く、且つ携帯電話機が閉じられた状態で充電器に接続されると、着信音が鳴らないよう着信モードを切り替えるような構成が採られ得る（たとえば、特許文献１）。
【先行技術文献】
【特許文献】
【０００３】
【特許文献１】特開２００６−３５２７６５号公報
【発明の概要】
【発明が解決しようとする課題】
【０００４】
しかしながら、上記の構成によれば、動作モードの切替条件に充電器の接続が含まれているため、会議中や外出先など充電器がない状態では、モードの切り替えを行うことができず、不便である。
【０００５】
本発明は、かかる課題に鑑みてなされたものであり、ユーザの意思により簡単に動作モードを切り替えることができる携帯端末装置を提供することを目的とする。
【課題を解決するための手段】
【０００６】
本発明の携帯端末装置は、当該携帯端末装置が、当該携帯端末装置の正面が下を向く姿勢で置かれたことを検出する検出部と、動作モードを、着信音を鳴らす第１モードと着信音を鳴らさない第２モードとの間で切り替える切替部と、を備える。ここで、前記切替部は、前記検出部により当該携帯端末装置が前記姿勢で置かれたことが検出されると、動作モードを、前記第１モードから前記第２モードへ切り替える。前記携帯端末装置は、電話または電子メールの着信があったときに、前記動作モードが前記第１モードに設定されていると、前記着信の当初から着信音を鳴らし、前記動作モードが前記第２モードに設定されていると、前記着信の当初から着信音を鳴らさない。
【０００７】
本態様に係る携帯端末装置において、当該携帯端末装置の正面には表示面が配置され得る。この場合、前記携帯端末装置は、電話または電子メールの着信があったときに、前記動作モードが前記第２モードに設定されていると、前記表示面の照明を点灯する。
【０００８】
本態様に係る携帯端末装置において、前記検出部は、当該携帯端末装置の向きを検出するための方向検出部と、前記方向検出部の出力に基づいて、前記正面が下を向く状態が一定時間維持されたか否かを判断する判断部と、を含み得る。ここで、前記判断部により前記正面が下を向く状態が一定時間維持されたと判断されると、当該携帯端末装置が前記姿勢で置かれたことが検出される。
【０００９】
本態様に係る携帯端末装置において、前記検出部は、当該携帯端末装置の向きを検出するための方向検出部と、前記正面に照射される光の照度を検出する照度検出部と、前記方向検出部の出力に基づいて、前記正面が下を向いているか否かを判断するとともに、前記照度検出部により検出された照度が予め定めた閾値以下であるか否かを判断する判断部と、を含み得る。ここで、前記判断部により前記正面が下を向き、且つ、前記照度が前記閾
値以下であると判断されると、当該携帯端末装置が前記姿勢で置かれたことが検出される。
【００１０】
本態様に係る携帯端末装置において、前記検出部は、前記正面への被検出物の近接を検出する近接検出部をさらに備え得る。ここで、前記判断部により、前記正面が下を向き、且つ、前記照度が前記閾値以下であると判断され、さらに、前記近接検出部により前記正面へ前記被検出物が近接したことが検出されると、当該携帯端末装置が前記姿勢で置かれたことが検出される。
【００１１】
本態様に係る携帯端末装置において、前記検出部は、当該携帯端末装置の向きを検出するための方向検出部と、前記方向検出部からの出力に基づいて前記正面が下を向いているか否かを判断する判断部と、前記正面への被検出物の近接を検出する近接検出部と、を含み得る。ここで、前記判断部により、前記正面が下を向いていると判断され、且つ、前記近接検出部により前記正面へ前記被検出物が近接したことが検出されると、当該携帯端末装置が前記姿勢で置かれたことが検出される。
【００１２】
本態様に係る携帯端末装置において、前記方向検出部は、前記正面の法線方向に働く重力加速度を検出する加速度検出部を含み得る。ここで、前記判断部は、前記重力加速度に基づいて、前記正面が下を向いているか否かを判断する。
【００１３】
本態様に係る携帯端末装置において、前記方向検出部は、前記正面に照射される光の照度を検出する第１の照度検出部と、当該携帯端末装置の背面に照射される光の照度を検出する第２の照度検出部とを含み得る。ここで、前記判断部は、前記第１の照度検出部により検出された照度と前記第２の照度検出部により検出された照度に基づいて、前記正面が下を向いているか否かを判断する。
【００１４】
本態様に係る携帯端末装置において、前記検出部は、前記正面への被検出物の近接を検出する近接検出部と、前記正面に照射される光の照度を検出する照度検出部と、前記照度が予め定めた閾値以下であるか否かを判断する判断部と、を含み得る。ここで、前記判断部により前記正面へ前記被検出物が近接したことが検出され、且つ、前記判断部により前記照度が前記閾値以下であると判断されると、当該携帯端末装置が前記姿勢で置かれたことが検出される。
【００１５】
本態様に係る携帯端末装置において、前記第２モードは、無線通信のための電波の送受信を停止する動作を含み得る。この場合、前記切替部は、無線通信が使用されている途中で、当該携帯端末装置が前記姿勢で置かれたことが検出されても、電波が切断されないように、前記動作モードを前記第２モードに切り替えない。
【発明の効果】
【００１６】
本発明によれば、ユーザの意思により簡単に動作モードを切り替えられる携帯端末装置を提供することができる。
【００１７】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１８】
【図１】実施の形態に係る携帯電話機の外観構成を示す図である。
【図２】実施の形態に係る携帯電話機の全体構成を示すブロック図である。
【図３】実施の形態に係る不使用モードを設定する処理手順を示すフローチャートである。
【図４】実施の形態に係る不使用モードを解除する処理手順を示すフローチャートである。
【図５】実施の形態に係る携帯電話機の外観構成を示す図である。
【図６】実施の形態に係る動作モードを切り替える処理手順を示すフローチャートである。
【図７】実施の形態に係る携帯電話機の外観構成を示す図である。
【図８】実施の形態に係る動作モードを切り替える処理手順を示すフローチャートである。
【図９】実施の形態に係る動作モードを切り替える処理手順を示すフローチャートである。
【図１０】実施の形態に係る携帯電話機の外観構成を示す図である。
【発明を実施するための形態】
【００１９】
以下、本発明の実施の形態について、図面を参照して説明する。図１は携帯電話機の外観構成を示す図である。同図（ａ）は、第２キャビネットが開放した状態の携帯電話機の正面図であり、同図（ｂ）は同じ状態での側面図である。同図（ｃ）は同図（ｂ）のＡ−Ａ´断面図である。
【００２０】
携帯電話機は、第１キャビネット１と第２キャビネット２を有する。第２キャビネット２は、スライド機構部４によって、第１キャビネット１に対し図１のＹ軸方向にスライド可能に連結されている。
【００２１】
第１キャビネット１には、キー入力部３が配されている。キー入力部３は、携帯電話機への各種の操作入力を検出する。
【００２２】
第１キャビネット１の上面には、キー入力部３を構成する操作キー群３ａが配されている。操作キー群３ａは、４個の起動キー３１と、方向キー３２と、決定キー３３と、通話キー３４と、終話キー３５と、１２個のテンキー３６と、クリアキー３７とを備えている。
【００２３】
起動キー３１は、主に、電子メール機能、電話帳機能、ウェブ機能などの特定のアプリケーションを起動する際に操作される。方向キー３２は、主に、ディスプレイ２１に表示された各種メニューから所望のメニューを選択する際に操作される。決定キー３３は、主に、選択されたメニューに決定する際やディスプレイ２１に表示された内容に同意（ＯＫ）する際に操作される。通話キー３４は、主に、通話を開始する際に操作され、終話キー３５は、主に、通話を終了する際に操作される。テンキー３６は、主に、文字（ひらがな、カタカナ、アルファベット）や数字、記号の入力を行う際に操作される。クリアキー３７は、主に、入力した文字等を消去する際に操作される。なお、テンキー３６の一部の機能を、ＱＷＥＲＴＹキー等で実現するような構成としてもよい。
【００２４】
第１キャビネット１には、カメラモジュール１１が配されている。カメラモジュール１１のレンズ窓（図示せず）は、第１キャビネット１の背面に設けられ、このレンズ窓から被写体の像がカメラモジュール１１に取り込まれる。
【００２５】
第２キャビネット２にはディスプレイ２１が配されている。ディスプレイ２１は、画像を表示する表示部であって、後述のように液晶パネル２１ａと液晶パネル２１ａを照明するパネルバックライト２１ｂにより構成されている。液晶パネル２１ａの表示面２１ｃが外部に現れる。なお、ディスプレイ２１は、有機ＥＬ等他の表示素子により構成されてもよい。
【００２６】
ディスプレイ２１の表示面２１ｃ側には、タッチセンサ２２が配されている。タッチセンサ２２は透明なシート状を有しており、タッチセンサ２２を透してディスプレイ２１の表示面２１ｃを見ることができる。
【００２７】
タッチセンサ２２は、マトリクス状に配された第１透明電極と第２透明電極とを備えている。タッチセンサ２２は、これら透明電極間の静電容量の変化を検出することによって、ユーザに触られた表示面２１ｃ上の位置を検出し、その位置に応じた位置信号を後述のＣＰＵへ出力する。なお、タッチセンサ２２は、静電容量式のタッチセンサ２２に限られず、超音波式、感圧式等のタッチセンサ２２であってもよい。
【００２８】
第１キャビネット１にはマイクロホン１２（以下、「マイク」と略す）が配されており、第２キャビネット２にはスピーカ２３が配されている。ユーザは、スピーカ２３からの音声を耳で捉え、マイク１２に対して音声を発することにより通話を行うことができる。
【００２９】
スライド機構部４は、図１（ｃ）に示すように、ガイド板４１とガイド溝４２によって構成されている。ガイド板４１は、第２キャビネット２の背面の左右両端部に設けられており、その下端に突条４１ａを有する。ガイド溝４２は、第１キャビネット１の側面に、図１のＹ軸方向に沿って形成されている。ガイド板４１の突条４１ａは、ガイド溝４２に係合されている。
【００３０】
携帯電話機を閉じた状態では、図１（ｂ）に一点鎖線で示すように、第２キャビネット２が第１キャビネット１の上に略完全に重なっている。この閉じた状態では、第２キャビネット２の裏後に操作キー群３ａの全てのキーが隠れた状態となる。第２キャビネット２は、ガイド板４１がガイド溝４２の終端位置に達するまでスライドする。この開いた状態では、図１（ａ）に示すように、第２キャビネット２が第１キャビネット１の上から外側へ移動し、操作キー群３ａの全てのキーが外部に露出する。
【００３１】
全てのキーが隠れた状態において、携帯電話機への入力は、タッチセンサ２２により行われる。このとき、ディスプレイ２１の表示面２１ｃには、所定の位置にソフトキーの画像が表示される。
【００３２】
なお、第２キャビネット２が完全に閉じても外部から操作可能な位置、たとえば、第１キャビネット１の側面に、操作キー群３ａとは別の操作キーを設けることもできる。こうすれば、第２キャビネット２が完全に閉じていても、このような操作キーを用いて所望の操作を行うことが可能となる。
【００３３】
図２は、携帯電話機の全体構成を示すブロック図である。
【００３４】
本実施の形態の携帯電話機は、上述した各構成要素の他、ＣＰＵ１００、メモリ２００、映像エンコーダ３０１、音声エンコーダ３０２、キー入力回路３０３、クロック３０４、通信モジュール３０５、バックライト駆動回路３０６、キーバックライト３０７、映像デコーダ３０８、音声デコーダ３０９、スピーカ２３および加速度センサ３１０を備えている。
【００３５】
カメラモジュール１１はＣＣＤ等の撮像素子を有する。カメラモジュール１１は、撮像素子から出力された撮像信号をデジタル化し、その撮像信号にガンマ補正等の各種補正を施して映像エンコーダ３０１へ出力する。映像エンコーダ３０１は、カメラモジュール１１からの撮像信号にエンコード処理を施してＣＰＵ１００へ出力する。
【００３６】
マイク１２は、集音した音声を音声信号に変換して音声エンコーダ３０２へ出力する。
音声エンコーダ３０２は、マイク１２からのアナログの音声信号をデジタルの音声信号に変換するとともに、デジタルの音声信号にエンコード処理を施してＣＰＵ１００へ出力する。
【００３７】
キー入力回路３０３は、操作キー群３ａの各キーが操作されたときに、各キーに応じた入力信号をＣＰＵ１００へ出力する。
【００３８】
クロック３０４は、時刻を計測して時刻信号をＣＰＵ１００へ出力する。
【００３９】
通信モジュール３０５は、ＣＰＵ１００からの音声信号や画像信号、テキスト信号などを無線信号に変換し、アンテナ３０５ａを介して基地局へ送信する。また、アンテナ３０５ａを介して受信した無線信号を音声信号や画像信号、テキスト信号などに変換してＣＰＵ１００へ出力する。
【００４０】
バックライト駆動回路３０６は、ＣＰＵ１００からの制御信号に応じた電圧信号をキーバックライト３０７およびパネルバックライト２１ｂに供給する。キーバックライト３０７は、バックライト駆動回路３０６からの電圧信号により点灯し、操作キー群３ａの個々のキーを照明する。パネルバックライト２１ｂは、バックライト駆動回路３０６からの電圧信号により点灯し、液晶パネル２１ａを照明する。
【００４１】
映像デコーダ３０８は、ＣＰＵ１００からの映像信号を液晶パネル２１ａで表示できるアナログ若しくはデジタルの映像信号に変換し、液晶パネル２１ａに出力する。液晶パネル２１ａは、映像信号に応じた画像を表示面２１ｃ上に表示する。
【００４２】
音声デコーダ３０９は、ＣＰＵ１００からの音声信号にデコード処理を施し、さらにアナログの音声信号に変換してスピーカ２３に出力する。また、音声デコーダ３０９は、ＣＰＵ１００からの着信音やアラーム音等の各種報知音の音信号、および音声信号にデコード処理を施し、さらにアナログの音信号に変換してスピーカ２３へ出力する。スピーカ２３は、音声デコーダ３０９からの音声信号や音信号に基づいて音声や報知音などを再生する。
【００４３】
加速度センサ３１０は、図１（ａ）のＺ軸方向に生じる重力加速度を検出し、重力加速度により携帯端末装置の正面の方向を検出するための方向検出部である。加速度センサ３１０は、表示面２１ｃが水平であって鉛直方向の上側を向いている場合に、重力加速度が＋１Ｇになり、また、表示面２１ｃが水平であって鉛直方向の下側を向いている場合に、重力加速度が−１Ｇになるように、配置される。加速度センサ３１０は、検出した加速度に応じた加速度信号をＣＰＵ１００へ出力する。ここでは、Ｚ軸方向は、表示面２１ｃの法線方向を示す。
【００４４】
通信モジュール３０５は、ＣＰＵ１００からの音声信号や画像信号、テキスト信号などを無線信号に変換し、アンテナ３０５ａを介して基地局へ送信する。また、アンテナ３０５ａを介して受信した無線信号を音声信号や画像信号、テキスト信号などに変換してＣＰＵ１００へ出力する。
【００４５】
メモリ２００は、ＲＯＭおよびＲＡＭを含む記憶部である。メモリ２００には、ＣＰＵ１００に制御機能を付与するための制御プログラムが記憶されている。また、メモリ２００には、カメラモジュール１１で撮影した画像情報や通信モジュール３０５を介して外部から取り込んだ画像情報およびテキスト情報などが所定のファイル形式で保存される。
【００４６】
ＣＰＵ１００は、キー入力回路３０３およびタッチセンサ２２からの操作入力信号に基
づき、制御プログラムに従って、カメラモジュール１１、マイク１２、通信モジュール３０５、液晶パネル２１ａ、スピーカ２３などを動作させる。これにより、通話機能および電子メール機能などの各種アプリケーションが実行される。
【００４７】
ＣＰＵ１００は、判断部１０１および切替部１０２を備える。これら各部は、ＣＰＵ１００によって実行されるソフトウェアの機能として実現される。
【００４８】
判断部１０１は、加速度センサ３１０からの加速度信号を受け、表示面２１ｃが下を向いているかおよび上を向いているかを判別する。なお、表示面２１ｃの上向きおよび下向きの判断において重力加速度±１Ｇから許容範囲：αＧを設けることができる。このため、重力加速度が第１閾値：（＋１−α）Ｇ以上であれば、表示面２１ｃが上を向いていると判断部１０１は判断する。重力加速度が第２閾値：（−１＋α）Ｇ以下であれば、表示面２１ｃが下を向いていると判断部１０１は判断する。
【００４９】
また、判断部１０１は、クロック３０４からの時刻信号を受け、表示部が下または上を向いてからの時間を計測し、計測時間が所定時間を超えるか否かを判断する。たとえば、判断部１０１が、計測時間が所定時間を超えたと判断した場合、長時間、表示面２１ｃが下を向いた状態が続いていることになる。このように、判断部１０１は、加速度センサ３１０の出力に基づいて、表示面２１ｃが配置される正面が下向きである状態が一定時間維持されたと判断すると、机などの上に、表示面２１ｃが下を向き伏せられた状態で携帯電話機が置かれたとみなされ得る。
【００５０】
切替部１０２は、判断部１０１の判断結果に応じて、携帯電話機の動作モードを第１モードと第２モードとの間で切り替える。ここで、第１モードは、携帯電話機が使用される際に設定されて好適な動作モード(以下、第１モードを「使用モード」と称する)である。使用モードでは、電話や電子メールの着信時に着信音が鳴らされる。また、スケジュール設定のアラーム設定に基づいてアラームが鳴らされる。第２モードは、たとえば、携帯電話機が使用されない際に設定されて好適な動作モードである(以下、第２モードを「不使用モード」と称する)。不使用モードでは、パネルバックライト２１ｂが消灯される。また、着信音やアラーム音などの報知音が鳴らされない。なお、第２モードでは、電話の着信があると、着信を知らせるため、パネルバックライト２１ｂが点灯される。
【００５１】
表示面２１ｃが伏せられると、ユーザが表示面２１ｃを見たり操作したりすることができず、また表示面２１ｃ側に配置されるマイク１２やスピーカ２３もユーザが利用し難くなる。この場合は、携帯電話機が使用されない状態であると捉えられる。よって、表示面２１ｃが下を向いた状態が所定時間以上継続するとの判断結果により、切替部１０２は不使用モードに設定する。
【００５２】
一方、ユーザが表示面２１ｃを利用して携帯電話機を使用する際には表示面１ｃが上に向けられる。よって、表示面２１ｃが上を向いた状態が所定時間以上継続するとの判断結果により、切替部１０２は使用モードに設定する。
【００５３】
＜第１の実施形態の処理手順＞
図３（ａ）は、モードを切り替える処理手順を示すフローチャートである。図３（ｂ）は、不使用モードを設定する処理手順を示すフローチャートである。図４（ａ）は、不使用モードを解除する処理手順を示すフローチャートである。図４（ｂ）は、着信時の動作の処理手順を示すフローチャートである。
【００５４】
図３（ａ）に示すように、判断部１０１は、動作モードが不使用モードに設定されているか否かを判断する。不使用モードが設定されていれば（Ｓ１０１：ＮＯ）、設定判断処
理が実行される（Ｓ１０２）。一方、使用モードが設定されており、不使用モードでなければ（Ｓ１０１：ＹＥＳ）、解除判断処理が実行される（Ｓ１０３）。
【００５５】
図３（ｂ）に示す設定判断処理では、判断部１０１は、加速度センサ３１０からの重力加速度を受け、重力加速度と第２閾値：（−１＋α）Ｇとを比較する（Ｓ２０１）。表示面２１ｃが上を向いていれば、ユーザが表示面２１ｃを利用して携帯電話機を使用できる状態にある。よって、表示面２１ｃが上を向いており、判断部１０１が、重力加速度が第２閾値より大きいと判断すると（Ｓ２０１：ＮＯ）、切替部１０２は、動作モードを不使用モードに設定せずに、使用モードを維持する。こうして、処理が終了する（Ｓ２０２）。
【００５６】
一方、表示面２１ｃが下を向いていると、判断部１０１は、重力加速度が第２閾値以下であると判断する（Ｓ２０１：ＹＥＳ）。次に、判断部１０１は、クロック３０４からの時刻信号に基づき、時間を計測する（Ｓ２０３）。また、引き続き、判断部１０１は加速度センサ３１０からの重力加速度が第２閾値以下であるか否かを判断する（Ｓ２０４）。そして、判断部１０１は、表示面２１ｃが下を向いてから所定時間が経過したか否かを判断する（Ｓ２０６）。
【００５７】
ユーザが、一旦下向けた表示面２１ｃを直ちに表に向けるなどして、表示面２１ｃが直ちに下向きでなくなれば、所定時間が経過する前に、判断部１０１は、重力加速度が第２閾値より大きいと判断する（Ｓ２０６:ＮＯ→Ｓ２０４：ＮＯ）。表示面２１ｃが上を向けば、ユーザが表示面２１ｃを操作する可能性がある。このため、判断部１０１は計測時間を０に戻して（Ｓ２０５）、使用モードを維持する。こうして、処理が終了する。
【００５８】
ユーザが携帯電話機を、表示面２１ｃを下向きにして伏せた状態で机などの上に置いた場合、表示面２１ｃが下を向いたまま、計測時間が経過する（Ｓ２０６：ＹＥＳ）。こうなると、表示面２１ｃが机などに伏せられたとみなされ、切替部１０２は使用モードから不使用モードに切り替える（Ｓ２０７）。不使用モードでは、ユーザが表示面２１ｃを見たり操作したりせず、携帯電話機が使用されないと考えられるため、パネルバックライト２１ｂが消灯されて、表示面２１ｃの照明が消される。
【００５９】
図４（ａ）に示す解除判断処理では、まず、加速度センサ３１０からの重力加速度に基づき、表示面２１ｃが上を向いているか否かが判断される。判断部１０１は、重力加速度が第１閾値：（＋１−α）Ｇより小さいと判断した場合（Ｓ３０１：ＮＯ）、ユーザが表示面２１ｃを裏に向けたままの状態、または表示面２１ｃを傾けても、表示面２１ｃが上側を向いていない状態である。このため、不使用モードが維持されたまま、処理が終了する（Ｓ３０２）。
【００６０】
一方、判断部１０１は、重力加速度が第１閾値以上であると判断した場合（Ｓ３０１：ＹＥＳ）、ユーザが表示面２１ｃを表に向け、表示面２１ｃが上を向いたとみなされる。次に、判断部１０１は、クロック３０４からの時刻信号に基づき、表示面２１ｃが上を向いてからの時間を計測する（Ｓ３０３）。
【００６１】
判断部１０１は、加速度センサ３１０からの重力加速度が第１閾値以上であるか否かを判断するとともに、時間を計測しながら、計測時間が所定時間を経過したか否かを判断する（Ｓ３０４、Ｓ３０６）。判断部１０１は、計測時間が所定時間を経過するまでに、重力加速度が第１閾値より小さくなったと判断すると（Ｓ３０４：ＹＥＳ）、表示面２１ｃが上を向いていないとみなされるため、計測時間を０に戻し（Ｓ３０５）、不使用モードを維持する。こうして、処理が終了する。
【００６２】
これに対して、判断部１０１は、重力加速度が第１閾値以上を継続した状態であり、計測時間が所定時間を経過したと判断すると（Ｓ３０６：ＹＥＳ）、切替部１０２は不使用モードを解除して使用モードを設定する（Ｓ３０７）。これにより、パネルバックライト２１ｂが点灯されて、表示面２１ｃに操作画面などが表示されるため、ユーザが表示面２１ｃを見て操作することができるようになる。
【００６３】
図４（ｂ）に示すように、電話やメールなどの着信があると（Ｓ４０１）、判断部１０１は、モードが不使用モードであるか否かを判断する（Ｓ４０２）。ここで、不使用モードでなく、使用モードが設定されていると判断部１０１が判断すれば（Ｓ４０２：ＮＯ）、ＣＰＵ１００は制御信号を音声デコーダ３０９に出力し、スピーカ２３から着信音を鳴らす（Ｓ４０３）。これにより、着信がユーザに報知される。一方、動作モードに不使用モードが設定されていると判断部１０１が判断すると（Ｓ４０２：ＹＥＳ）、ＣＰＵ１００は制御信号をバックライト駆動回路３０６へ出力し、パネルバックライト２１ｂを点灯させる（Ｓ４０４）。表示面２１ｃは机などに伏せられているが、表示面２１ｃと机との間から放たれた光により、ユーザは着信を知ることができる。
【００６４】
なお、ＣＰＵ１００は、スケジュール設定のモードにおいて、予め設定されたスケジュールの時刻になると、動作モードを判定する。そして、使用モードであれば、アラームを鳴らし、不使用モードであれば、アラームを鳴らさず、パネルバックライト２１ｂを点灯させる。アラーム設定のモードにおいて、予め定めた時刻になったときも同様に、ＣＰＵ１００は、使用モードであれば、アラームを鳴らし、不使用モードであれば、アラームを鳴らさず、パネルバックライト２１ｂを点灯させる。
【００６５】
以上、本実施の形態によれば、携帯電話機を机などの上に伏せた状態としたり、表に向けたりするだけで、動作モードを感覚的に切り替えられる。しかも、動作モードの切り替えが簡単であることから、状況に合わせて動作モードの切り替えが行いやすい。また、モードの切り替えに充電器などの外部機器を別途用いる必要がないため、会議中や外出先など充電器がない状態では切り替えが行えないなど、使用状況によってモード切替が制限されるようなことがなく、ユーザの意思により動作モードの切り替えが確実に行える。
【００６６】
しかも、本実施の形態によれば、表示面２１ｃ、即ち携帯電話機の正面が下に向いた状態であるか否かを判断するだけでなく、その状態が一定時間継続したか否かも判断するようにしているので、表示面２１ｃが下を向いた状態で携帯電話機が置かれたことを精度よく、検出することができる。
【００６７】
さらに、本実施の形態によれば、表示面２１ｃが伏せられた状態では、携帯電話機を使用しないことにより、不使用モードが設定され、照明などが消灯される。よって、電池の消費電力が節約され、携帯電話機の連続使用時間を長くできる。
【００６８】
＜第２実施形態＞
第２実施形態の携帯電話機では、照度センサ１３、２４の検出信号に基づき表示面２１ｃが伏せられた状態を検出する。なお、第２実施形態の構成のうち第１実施形態の構成と同様なものには、同じ番号を付して、その説明を省略する。
【００６９】
図５は携帯電話機の外観構成を示す図である。
【００７０】
第２キャビネット２の正面側で表示面２１ｃの近傍に照度センサ（以下、正面照度センサと言う。）２４が配されている。正面照度センサ２４は、表示面２１ｃの付近に照射される光量を検出する照度検出部である。
【００７１】
第１キャビネット１の背面側に照度センサ（以下、背面照度センサと言う。）１３が配されている。背面照度センサ１３は、携帯電話機の背面に照射される光量を検出する照度検出部である。
【００７２】
正面照度センサ２４および背面照度センサ１３には、フォトトランジスタやフォトダイオードなどが用いられる。これらの照度センサ１３、２４で検出された照度はＣＰＵ１００へ出力される。
【００７３】
図６（ａ）は、不使用モードを設定する処理手順を示すフローチャートである。図６（ｂ）は、不使用モードを解除する処理手順を示すフローチャートである。
【００７４】
図６（ａ）に示す設定判断処理では、判断部１０１は、正面照度センサ２４から照度（以下、正面照度と言う。）および背面照度センサ１３から照度（以下、背面照度と言う。）を受け、これらを比較する。表示面２１ｃが下を向いた場合、通常、表示面２１ｃ側は陰の部分となるため、表示面２１ｃの背面側よりも暗くなる。判断部１０１が、正面照度が背面照度以上と判断した場合（Ｓ５０１：ＮＯ）、表示面２１ｃ側が背面側より明るいことにより、表示面２１ｃは下側を向いていないとみなすことができる。このため、切替部１０２が動作モードを使用モードに維持した状態で、処理が終了する（Ｓ５０２）。
【００７５】
また、判断部１０１が、正面照度が背面照度より小さいと判断した場合（Ｓ５０１：ＹＥＳ）、表示面２１ｃ側が背面側より暗いことより、表示面２１ｃが下側を向いている可能性がある。この場合、次の処理に進む。
【００７６】
判断部１０１は正面照度と背面照度との差を算出し、これらの照度差が大きいか否かを判断する。たとえば、携帯電話機が傾いており、表示面２１ｃが陰にはなっているが、下側には向いていない場合には、照度差は小さくなる。この場合、判断部１０１は、照度差が、第３閾値より小さいと判断するため（Ｓ５０３：ＮＯ）、切替部１０２によって、動作モードが使用モードに維持されて不使用モードには切り替えられず、処理が終了する（Ｓ５０２）。
【００７７】
一方、判断部１０１が、正面照度と背面照度との照度差が第３閾値以上であると判断すれば（Ｓ５０３：ＹＥＳ）、表示面２１ｃが下を向いていると推定されるので、次に、表示面側が十分に暗いか否かが判断される。表示面２１ｃが机などに付されていれば、表示面２１ｃが十分に暗くなる。
【００７８】
判断部１０１が、正面照度が第４閾値より大きいと判断した場合（Ｓ５０４：ＮＯ）、表示面２１ｃは下を向いてはいるが、机などに伏されてはいないと推定される。よって、この場合、切替部１０２によって、動作モードが使用モードに維持されたままで、処理が終了する（Ｓ５０２）。
【００７９】
一方、判断部１０１が、正面照度が第４閾値以下であると判断した場合（Ｓ５０４：ＹＥＳ）、表示面２１ｃが机などに伏されていると推定される。この場合、切替部１０２は、使用モードから不使用モードに切り替えて、動作モードを不使用モードに設定する（Ｓ５０５）。
【００８０】
図６（ｂ）に示す解除判断処理では、表示面２１ｃ側が背面側より明るい場合、判断部１０１は、正面照度が背面照度より大きいと判断する（Ｓ６０１：ＹＥＳ）。続いて、判断部１０１が正面照度と背面照度との照度差が第３閾値より大きいと判断すると（Ｓ６０２：ＹＥＳ）、表示面２１ｃが表を向いている可能性がある。このため、さらに、正面照度が十分に明るいか否かが判断される。判断部１０１が、正面照度が第５閾値より大きい
と判断すると（Ｓ６０３：ＹＥＳ）、表示面２１ｃが上を向いていると推定できる。この場合、切替部１０２は、不使用モードを解除して、動作モードを使用モードに設定する（Ｓ６０４）。
【００８１】
一方、正面照度が背面照度より小さい場合（Ｓ６０１：ＮＯ）、正面照度および背面照度の照度差が第３閾値より小さい場合（Ｓ６０２：ＮＯ）および、正面照度が第５閾値より小さい場合（Ｓ６０３：ＮＯ）、動作モードは不使用モードのまま維持されて、処理が終了する（Ｓ６０５）。
【００８２】
なお、上述した第３閾値、第４閾値および第５閾値は、予め試験等を行うことにより決定される。
【００８３】
以上、本実施の形態によれば、計測時間が所定時間の経過することを待つ必要がないので、モードを迅速に切り替えられる。
【００８４】
また、上記実施形態によれば、背面照度と正面照度との相対値をみることにより、かばんの中など暗い環境下に携帯電話機があるのか、表示面２１ｃが伏された状態にあるのかを確実に判断できる。このため、携帯電話機の状態に応じて適切に動作モードが切り替えられる。
【００８５】
さらに、本実施の形態によれば、背面照度と正面照度との差によって携帯電話機の正面が下に向いた状態であるか否かを判断するだけでなく、その正面照度により正面側が十分に暗くなったか否かも判断するようにしているので、携帯電話機が伏せられた状態で置かれたことを精度よく、検出することができる。
【００８６】
＜第３実施形態＞
第３実施形態の携帯電話機では、照度センサ２５の検出信号と近接センサ２６の検出信号（以下、近接信号と言う。）とに基づき、表示面２１ｃが伏せられた状態を検出する。なお、第３実施形態の構成のうち第１および第２実施形態の構成と同様なものには、同じ番号を付して、その説明を省略する。
【００８７】
図７は携帯電話機の外観構成を示す図である。
【００８８】
第２キャビネット２の正面側で、スピーカ２３との間に表示面２１ｃを挟んだ位置に、照度センサ２５および近接センサ２６が配されている。照度センサ２５は、表示面２１ｃの付近に照射される光量を検出し、表示面２１ｃの周囲の明るさを求める照度検出部である。近接センサ２６は、表示面２１ｃに被検出物が近接したことおよび近傍に被検出物が存在していることを検出するための近接検出部であって、たとえば、静電容量式の近接センサ２６である。近接センサ２６は、被検出物が近接または近傍に存在することにより静電容量が増加し、静電容量が閾値を越えると、検出信号をＣＰＵ１００へ出力する。一方、近接センサ２６は、被検出部が離れ近傍に存在しなくなると、近接信号をＣＰＵ１００へ出力しなくなる。なお、近接センサ２６は、静電容量式の近接センサ２６に限られず、たとえば、超音波式や誘導形の近接センサ２６や赤外線式の近接センサであっても良い。
【００８９】
図８（ａ）は、不使用モードを設定する処理手順を示すフローチャートである。図８（ｂ）は、不使用モードを解除する処理手順を示すフローチャートである。
【００９０】
図８（ａ）の設定判断処理では、まず、表示面２１ｃの周囲が明るいか否かが判断される。ここで、判断部１０１は、照度センサ２５から照度を得て、照度が第６閾値以上であるか否かを判断する。表示面２１が机などに伏せられた状態でない場合、判断部１０１は
、照度が第６閾値以上と判断する（Ｓ７０１：ＹＥＳ）。
【００９１】
次に、表示面２１ｃが被検出物に近接しているか否かが判断される。たとえば、
判断部１０１は、近接信号を受ければ、近接信号があると判断する（Ｓ７０２：ＹＥＳ）。この場合、表示面２１ｃが被検出物に近接しているが、表示面２１ｃが机に付されているのではなく、ユーザが通話のために耳を表示面２１ｃに近づけていたり、ユーザが携帯電話機を持った際に手が表示面２１ｃの近傍に存在したりする可能性がある。このため、次に、表示面２１ｃが被検出物に近接する前は、表示面２１ｃの周囲が明るかったのに対し、表示面２１ｃが被検出物に近接することにより表示面２１ｃの周囲が暗くなった否かを判断部１０１は判断する（Ｓ７０３）。
【００９２】
判断部１０１は、表示面２１ｃの被検出物の検出後に取得した照度が第７閾値以下であると判断すれば（Ｓ７０３：ＹＥＳ）、表示面２１ｃの周囲が暗い。このことから、表示面２１ｃが机に置かれて伏せられているとして、切替部１０２は、使用モードから不使用モードに切り替える（Ｓ７０４）。
【００９３】
一方、照度が第７閾値より大きい場合（Ｓ７０３：ＮＯ）、切替部１０２は、動作モードを使用モードに維持したままで、処理が終了する（Ｓ７０５）。
【００９４】
図８（ｂ）の解除判断処理では、判断部１０１が、表示面２１ｃの周囲の照度が第８閾値以上かであるか否か、近接信号を受けているか否かを判断する（Ｓ８０１、Ｓ８０２）。なお、第８閾値は、試験等を行うことにより決定される。
【００９５】
携帯電話機が机の上に伏されていれば、表示面２１ｃの周囲の照度は第８閾値より小さくなり、また、近接センサ２６から近接信号が出力される。一方、携帯電話機の正面が上に向けられると、表示面２１ｃの周囲の照度は第８閾値以上となり、また、近接センサ２６からの近接信号がなくなる。また、携帯電話機の周囲が暗い中で携帯電話機の正面が上に向けられた場合は、表示面２１ｃの周囲の照度は第８閾値より小さいままである可能性はあるが、少なくとも、近接センサ２６からの近接信号はなくなる。
【００９６】
判断部１０１が、少なくとも、表示面２１ｃの周囲の照度は第８閾値以上である判断するか（Ｓ８０１：ＹＥＳ）、あるいは、近接センサ２６から近接信号を受けていないと判断すれば（Ｓ８０２：ＹＥＳ）、切替部１０２は、不使用モードから使用モードに切り替える（Ｓ８０３）。
【００９７】
一方、表示面２１ｃの周囲の照度は第８閾値より小さくＳ８０１：ＮＯ）、かつ近接センサ２６から近接信号を受けていれば（Ｓ８０２：ＮＯ）、切替部１０２は、不使用モードを維持した状態で、処理が終了する（Ｓ８０４）。
【００９８】
以上、上記実施例によれば、表示面２１ｃに対する近接および照度を求めることにより、表示面２１ｃにユーザが近づいて携帯電話機を使用している状態であるのか、表示面２１ｃが伏されて状態にあるのかを判断することができる。
【００９９】
また、上記実施例によれば、近接物が検出される前後において表示面１２ｃの周囲の照度を検出している。これにより、かばんの中などに携帯電話機が入っているのか、表示面１２ｃが机などに伏されたのかを精度よく判断できる。
【０１００】
上記実施例によれば、近接センサ２６および照度センサ２５が、表示面２１ｃを挟んで、スピーカ２３と反対側に設けられることにより、通話時にユーザが耳をスピーカ２３に近づけても、近接センサ２６および照度センサ２５はユーザを検知しない。このため、通
話時などの状態が検出されないため、表示面２１ｃが伏せられた状態を精度よく検出することができる。
【０１０１】
＜第４実施形態＞
第４実施形態の携帯電話機では、照度センサ２５、近接センサ２６および加速度センサ３１０の検出信号に基づき、表示面２１ｃが伏せられた状態を検出する。なお、第４実施形態の構成のうち第１〜第３実施形態の構成と同様なものには、同じ番号を付して、その説明を省略する。
【０１０２】
携帯電話機は、図７に示す照度センサ２５および近接センサ２６、ならびに図２に示す加速度センサ３１０を有する。
【０１０３】
図９（ａ）は、不使用モードを設定する処理手順を示すフローチャートである。図９（ｂ）は、不使用モードを解除する処理手順を示すフローチャートである。
【０１０４】
図９（ａ）に示す設定判断処理では、判断部１０１は、加速度センサ３１０から重力加速度を得て、重力加速度が第２閾値以下であるか否かを判断する（Ｓ９０１）。判断部１０１は重力加速度が第２閾値より大きいと判断すれば（Ｓ９０１：ＮＯ）、表示面２１ｃが下を向いていないとみなされる。このため、動作モードは使用モードのまま維持され、処理が終了する（Ｓ９０２）。
【０１０５】
一方、判断部１０１は、重力加速度が第２閾値以下であると判断すると（Ｓ９０１：ＹＥＳ）、表示面２１ｃは下を向いているとみなされるため、次に、表示面２１ｃの机が近接するか否かが判断される。
【０１０６】
判断部１０１は、近接信号を受けなければ、近接信号なしと判断する（Ｓ９０３：ＮＯ）。この場合、表示面２１ｃに机が近接していないとみなされるため、動作モードが使用モードのまま維持され、処理が終了する（Ｓ９０２）。
【０１０７】
また、判断部１０１は、近接信号を受けると、近接信号ありと判断する（Ｓ９０３：ＹＥＳ）。この場合、表示面２１ｃの近傍に被検出物が存在することから、携帯電話機が机などに置かれて、表示面２１ｃが伏せられた可能性があるため、次に表示面２１ｃの周囲が十分に暗いか否かが判断される。
【０１０８】
判断部１０１は、照度センサ２５からの照度を受け、照度と第４閾値とを比較する。判断部１０１は、照度が第４閾値より大きいと判断した場合（Ｓ９０４：ＮＯ）、表示面２１ｃの周囲が明く、携帯電話機が机などに置かれていないとみなされるため、動作モードが使用モードに維持された状態で、処理が終了する（Ｓ９０２）。
【０１０９】
これに対して、判断部１０１が、照度が第４閾値以下であると判断した場合（Ｓ９０４：ＹＥＳ）、表示面２１ｃの周囲が十分に暗いことから、表示面２１ｃが伏せられたとみなされる。このため、切替部１０２は、動作モードを使用モードから不使用モードに切り替える（Ｓ９０５）。
【０１１０】
図９（ｂ）に示す設定判断処理では、判断部１０１は、近接信号を受けていなければ、近接信号なしと判断する（Ｓ１００１：ＹＥＳ）。これにより、表示面２１ｃに机が近接していないことから、携帯電話機が机から離れたと考えられる。このため、次に、判断部１０１が、加速度センサ３１０から重力加速度を得て、重力加速度が第１閾値以上と判断すれば（Ｓ１００２：ＹＥＳ）、表示面２１ｃが上を向いているとみなされる。よって、切替部１０２は、動作モードを不使用モードから使用モードに切り替える（Ｓ１００３）
。
【０１１１】
一方、判断部１０１により、近接信号があると判断される場合（Ｓ１００１：ＮＯ）、あるいは、重力加速度が第１閾値より小さいと判断される場合（Ｓ１００２：ＮＯ）
切替部１０２が動作モードを不使用モードに維持した状態で、処理が終了する（Ｓ１００４）。
【０１１２】
以上、上記実施例によれば、表示面２１ｃの向き、表示面２１ｃに対する被近接物の近接の有無、および表示面２１ｃの周囲の照度に基づくことにより、より精度よく表示面２１ｃが伏せられた状態を検出することができる。
【０１１３】
＜その他の実施形態＞
以上、本発明の実施の形態について説明したが、本発明は、上記実施の形態によって何ら制限されるものではなく、また、本発明の実施の形態も、上記以外に種々の変更が可能である。
【０１１４】
第１実施形態では、加速度センサ３１０からの信号を検出するとともに時間を計測することにより表示面２１ｃが下向きである状態が一定時間維持された場合に、携帯端末装置が伏された状態で置かれたことを検出したが、これに限定されない。たとえば、加速度センサ３１０および照度センサ２５を用いて、表示面２１ｃが下向きであり、表示面２１ｃの周囲の照度が所定の閾値以下であれば、携帯端末装置が伏された状態で置かれたと判断することもできる。また、加速度センサ３１０および近接センサ２６を用いて、表示面２１ｃが下を向いた状態で、表示面２１ｃの周囲の照度が所定の閾値以下であると、携帯端末装置が伏された状態で置かれたと判断することもできる。
【０１１５】
第２実施形態では、図６（ａ）のステップＳ５０３で、正面照度が第４閾値以下であるかを判断するようにしたが、これに替えて、正面照度と背面照度との照度差が第３閾値以上である状態が一定時間以上継続したことを判断するようにしてもよい。また、近接センサ２６により表示面２１ｃ側に被近接部が近接したことが検出されたか否かを判断するようにしてもよい。
【０１１６】
また、第１および第４実施形態では、表示面２１ｃの方向を検出するため、Ｚ軸方向に生じる重力加速度を検出する加速度センサ３１０を用いたが、これに限定されず、携帯電話機の傾斜などを検出できるものであればよい。たとえば、３軸加速度センサやジャイロ計器などを用いることもできる。
【０１１７】
さらに、第１および第４実施形態では、加速度センサ３１０により表示面２１ｃが上を向いているか下を向いているかを判断した。これに対して、加速度センサ３１０などにより表示面２１ｃの傾きを求め、表示面２１ｃの傾きから表示面２１ｃの回転を判断することもできる。この場合、表示面２１ｃの回転を検知した後、回転後の照度が回転前の照度より小さく、かつ表示面２１ｃに対する近接物があると、表示面２１ｃが伏せられたと判断する。
【０１１８】
また、第２実施形態では、背面照度の検出に、第１キャビネット１の背面側の照度センサ２５を用いた。これに対して、背面照度の検出に、背面にレンズが配されたカメラモジュール１１を用いることもできる。この場合、カメラモジュール１１により撮影された画像の明るさが測定され、この明るさに基づき背面側の照度が求められる。
【０１１９】
さらに、第３および第４実施形態では、近接センサ２６により表示面２１ｃに対する被近接物の近接を非接触で検出した。これに対して、図１０（ａ）に示す機械式(接触式)の
近接センサ２７（以下、機械式センサという。）を用いて、表示面２１ｃの近傍に存在する物を検出することもできる。機械式センサ２７の突起部２７ａが第２キャビネット２の表面から突出しており、この突起部２７ａが机などに触れると、機械式センサ２７から検出信号が出力される。また、この場合、機械式センサ２７の突起部２７ａが第２キャビネット２の表面から突出しているため、携帯電話機がかばんの中に入っている状態や通話などによりユーザが携帯電話機を持っている状態において、突起部２７ａが誤って押されてしまう恐れがある。このような誤操作を防止するために、図１０（ｂ）に示すように、第２キャビネット２の表面から窪む溝２８を設け、溝２８の底に突起部２７ａが位置するよう機械式センサ２７を配置することもできる。溝２８にペンが入る大きさに設定することにより、表示面２１ｃを下にした状態で、机の上にあるペンに溝２８を合わせて、携帯電話機を机に載せると、機械式センサ２７の突起部２７ａがペンに押される。これにより、誤操作なく、表示面２１ｃが机に伏せられたことを検出できる。
【０１２０】
また、上記実施形態では、表示面２１ｃが上を向いていると判断された場合に、不使用モードが解除されたが、これに限定されない。たとえば、現在時刻が所定時刻に達した場合、および不使用モードに設定されてからの時間が所定時刻を経過した場合に不使用モードを解除することができる。また、電話のかけ手からの呼出信号を受信したときに、呼出時間が所定時間を経過した場合、あるいは呼出回数が所定回数を超えた場合に不使用モードを解除することができる。これにより、緊急時などには電話のかけ手から不使用モードを解除することができる。さらに、呼出信号に応答する連絡先の電話番号を予め登録しておき、その所定の連絡先から呼出信号を受信すると、不使用モードを解除することもできる。さらに、メール受信後に、電話のかけ手からの呼出信号を受信した場合に、メールの送信元の電話番号と電話のかけ手の電話番号とが一致したら、不使用モードを解除することができる。
【０１２１】
さらに、上記第１ないし第４実施形態では、第１モードが、着信音やアラーム音を鳴らす動作モードとされ、第２モード（不使用モード）が、着信音やアラーム音を鳴らさず、また、ディスプレイ２１を消灯する動作モードとされている。しかしこれに限らず、要は、第１モードと第２モードとは互いに異なる設定がなされた動作モードであればよい。
【０１２２】
さらに、不使用モードが、電波の送受信を停止する動作を含む場合には、Ｂｌｕｅｔｏｏｔｈ（登録商標）などの無線通信が使用されている途中で、携帯電話機が机などの上に伏せられても、電波が切断されないように、不使用モードに切り替えないようにすることもできる。
【０１２３】
さらに、上記実施の形態では、いわゆるスライド式の携帯電話機に本発明が適用されている。しかしながら、これに限らず、いわゆる折りたたみ式、ストレート型等、いかなるタイプの携帯電話機に本発明が適用されてもよい。
【０１２４】
なお、上記実施の形態のように、スライド式の携帯電話機では、通常、片側の面のみに表示面２１ｃが配される。そして、その表示面２１ｃが配された面が、通常、携帯電話機の正面となる。ストレートタイプの携帯電話機では、スライド式の携帯電話機と同様、通常、片面のみに表示面が配され、その表示面が配された面が、携帯電話機の正面となる。
【０１２５】
一方、折りたたみ式の携帯電話機では、折りたたまれると隠れる面にメイン表示面が配され、その反対の面にサブ表示面が配される。よって、折りたたみ式の携帯電話機では、開かれた状態にある場合には、メイン表示面が主として利用されるため、メイン表示面が配された面が正面となる。また、折りたたまれた状態にある場合には、サブ表示面が主として利用されるため、サブ表示面が配された面が正面となる。即ち、折りたたみ式携帯電話機の場合には、たとえば、携帯電話機が開かれた状態で、メイン表示面が下を向く状態が一定時間継続すると、動作モードを第１モードから第２モードへ切り替えるような構成
とすることができる。あるいは、携帯電話機が折りたたまれた状態で、サブ表示面が下を向く状態が一定時間継続する、動作モードを第１モードから第２モードへ切り替えるような構成とすることができる。
【０１２６】
また、上記実施形態において、携帯電話機の電源を切るなどの特定の処理が実行されると、動作モードがリセットされるようにすることもできる。たとえば、不使用モードに設定されている場合、動作モードのリセットにより、不使用モードが解除されて使用モードに設定される。
【０１２７】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１２８】
１３  背面照度センサ
２１ｃ  表示面
２３  スピーカ
２４  正面照度センサ
２５  照度センサ
２６  近接センサ
２７  機械式センサ
１０１  判断部
１０２  切替部
３１０  加速度センサ
【図１】
0005606205.tif 000002
【図２】
0005606205.tif 000003
【図３】
0005606205.tif 000004
【図４】
0005606205.tif 000005
【図５】
0005606205.tif 000006
【図６】
0005606205.tif 000007
【図７】
0005606205.tif 000008
【図８】
0005606205.tif 000009
【図９】
0005606205.tif 000010
【図１０】
0005606205.tif 000011